(57)【要約】【課題】軽量化を実現するとともに、所定の剛性を確保したワイヤハーネス用プロテクタを提供する。【解決手段】プロテクタ１０の平板２０の少なくとも一面には、複数の凹部７０と、各凹部７０の周囲を区画する凸部８０とが整列して形成されている。各凹部７０には、所定形状をなす完全形凹部７１と、所定形状をなさずに完全形凹部７１の一部を欠落してなる不完全形凹部７２とが含まれている。凸部８０には、平板２０の外縁に配置される端縁凸部８４が含まれている。端縁凸部８４が不完全形凹部７２の欠落部分を区画している。【選択図】図２
2012228057.tif 000002
【特許請求の範囲】
【請求項１】
ワイヤハーネスを保護する樹脂製のプロテクタであって、
前記ワイヤハーネスを挿通する本体部と、前記本体部に被さってその開口面を閉じる蓋部とからなる平板を備え、
前記平板の少なくとも一面には、複数の凹部と、前記各凹部の周囲を区画する凸部とが整列して形成され、
前記各凹部には、所定形状をなす完全形凹部と、前記完全形凹部の一部を欠落してなる前記完全形凹部とは異形の不完全形凹部とが含まれ、
前記凸部には、前記平板の外縁に配置される端縁凸部が含まれ、
前記端縁凸部が前記不完全形凹部の欠落部分を区画していることを特徴とするワイヤハーネス用プロテクタ。
【請求項２】
前記完全形凹部が円形又は六角形をなしていることを特徴とする請求項１記載のワイヤハーネス用プロテクタ。
【発明の詳細な説明】
【技術分野】
【０００１】
本発明は、ワイヤハーネス用プロテクタに関する。
【背景技術】
【０００２】
特許文献１に記載のワイヤハーネス用プロテクタは、樹脂製であって、ワイヤハーネスを挿通する本体部と、本体部に被さってその開口面を閉じる蓋部とからなる平板で構成されている。平板（本体部及び蓋部）の外面には、複数の凹部が肉抜きにより形成されている。各凹部は、斜め直線状の細溝であって、互いに同形とされている。
【先行技術文献】
【特許文献】
【０００３】
【特許文献１】特開２００６−２５５１５号公報
【発明の概要】
【発明が解決しようとする課題】
【０００４】
ところで、上記従来のプロテクタの場合、各凹部によって平板の軽量化を実現することが可能であり、かつ各凹部の周囲を区画する凸部によって平板の剛性を確保することが可能であった。しかし、平板の外面に占める各凹部の占有面積が大きいと、凸部の占有面積が相対的に小さくなって、平板の剛性が低下する一方、平板の外面に占める各凹部の占有面積が小さいと、凸部の占有面積が相対的に大きくなって、平板の軽量化を実現するのが困難になるという事情があった。
【０００５】
本発明は上記のような事情に基づいて完成されたものであって、軽量化を実現するとともに、所定の剛性を確保したワイヤハーネス用プロテクタを提供することを目的とする。
【課題を解決するための手段】
【０００６】
上記の目的を達成するための手段として、請求項１の発明は、ワイヤハーネスを保護する樹脂製のプロテクタであって、前記ワイヤハーネスを挿通する本体部と、前記本体部に被さってその開口面を閉じる蓋部とからなる平板を備え、前記平板の少なくとも一面には、複数の凹部と、前記各凹部の周囲を区画する凸部とが整列して形成され、前記各凹部には、所定形状をなす完全形凹部と、前記完全形凹部の一部を欠落してなる前記完全形凹部とは異形の不完全形凹部とが含まれ、前記凸部には、前記平板の外縁に配置される端縁凸部が含まれ、前記端縁凸部が前記不完全形凹部の欠落部分を区画しているところに特徴を有する。
【０００７】
請求項２の発明は、請求項１に記載のものにおいて、前記完全形凹部が円形又は六角形をなしているところに特徴を有する。
【発明の効果】
【０００８】
＜請求項１の発明＞
各凹部には所定形状をなす完全形凹部と完全凹部の一部を欠落してなる完全形凹部とは異形の不完全形凹部とが含まれ、凸部には平板の外縁に配置される端縁凸部が含まれ、端縁凸部が不完全形凹部の欠落部分を区画しているため、平板の軽量化及び剛性確保を図る上で、凹部及び凸部が効率良く配置されることとなる。したがって、本発明によれば、軽量化を実現するとともに、所定の剛性を確保したワイヤハーネス用プロテクタが提供される。
【０００９】
＜請求項２の発明＞
完全形凹部が円形又は六角形をなしているため、各凹部によって軽量化を良好に実現できるとともに、凸部によって所定の剛性を確実に確保することができる。
【図面の簡単な説明】
【００１０】
【図１】本発明の実施形態１に係るワイヤハーネス用プロテクタの斜視図である。
【図２】本体部の平面図である。
【図３】図２のＸ−Ｘ線断面図である。
【図４】蓋部の底面図である。
【図５】実施形態２に係るワイヤハーネス用プロテクタの蓋部の底面図である。
【図６】参考例に係るワイヤハーネス用プロテクタの蓋部の底面図である。
【発明を実施するための形態】
【００１１】
＜実施形態１＞
本発明の実施形態１を図１ないし図４によって説明する。本実施形態に係るワイヤハーネス用プロテクタ１０は、ワイヤハーネス９０を保護するものであって、本体部３０と蓋部６０とからなる平板２０を備えている。平板２０は、比重の軽いポリプロピレン等の樹脂で構成されている。本実施形態の場合、平板２０は、ほぼＳ字形に屈曲しつつ全体として前後方向に延びる形態とされている。
【００１２】
本体部３０は、図３に示すように、全体として断面略角凹状をなし、底板３１と底板３１の両側縁から立ち上がる一対の側板３２とを有している。本体部３０内には、ワイヤハーネス９０が挿通される挿通空間が形成されている。そして、底板３１の内面にはワイヤハーネス９０が載せられ、両側板３２の内面にはワイヤハーネス９０が内側から当接されてその配索方向が規定される。
【００１３】
具体的には、本体部３０は、図１及び図２に示すように、前後方向にほぼ真直ぐ延びる第１挿通部３３と、第１挿通部３３の前部と鈍角に交差して斜め前方に延びる第２挿通部３４と、第２挿通部３４の前部と鈍角に交差して前後方向にほぼ真直ぐ延びる第３挿通部３５とからなる。第１挿通部３３の前後両端及び第３挿通部３５の前端は開口部３６Ａ、３６Ｂ、３６Ｃとして開口されている。ワイヤハーネス９０の配索経路は、第１挿通部３３の前後の開口部３６Ａ、３６Ｂを通してほぼ真直ぐ配索される経路と、第１挿通部３３の後端の開口部３６Ａ及び第３挿通部３５の前端の開口部３６Ｃを通して幅方向にシフトして配索される経路とに選択可能とされている。
【００１４】
本体部３０には、第１、第２挿通部３３、３４間に、図示しないクリップ等の固定具を装着可能な装着部３７が外側に突出して形成されている。また、両側板３２の上端縁には、所定間隔をかけて複数のロック受け部３８が形成されている。各ロック受け部３８は、門型枠状をなし、その内部に、スリット状のロック空間が形成されている。
【００１５】
蓋部６０は、本体部３０の上方開口面を覆うように本体部３０に被せ付けられる。そして、蓋部６０は、本体部３０に取り付けられた状態で、底板３１と対向する位置に配置され、かつ両側板３２の上端縁に載せられる一枚板状の蓋部本体６１を有している。蓋部本体６１は、図４に示すように、前後方向にほぼ真直ぐ延びる第１蓋体６２と、第１蓋体６２の前部と鈍角に交差して斜め前方に延びる第２蓋体６３と、第２蓋体６３の前部と鈍角に交差して前後方向にほぼ真直ぐ延びる第３蓋体６４とからなる。第１、第３蓋体６２、６４には、固定具を装着可能な装着部６５が外側に突出して形成されている。固定具が装着部３７、６５に装着され、かつ車体等の取付対象に取り付けられることにより、プロテクタ１０が取付対象に固定されるようになっている。また、蓋部本体６１の両側縁には、各ロック受け部３８と対応する位置に、複数のロック部６６が垂下して形成されている。各ロック部６６の先端部には、図１に示すように、ロック爪６８が外側に突出して形成されている。ここで、本体部３０の上方開口面が蓋部６０によって閉止され、各ロック部６６がロック受け部３８のロック空間内に挿入され、かつロック爪６８がロック受け部３８を弾性的に係止することにより、蓋部６０が本体部３０に対して閉じ状態に保持される。さらに、蓋部本体６１の外縁には、開口部３６Ａ、３６Ｂ、３６Ｃと対応する位置を除いて端縁リブ６９が下側へ突出して形成されている。端縁リブ６９は、蓋閉め状態で両側板３２の外側に重ねられる。
【００１６】
さて、蓋部本体６１の内面及び底板３１の内面、つまり平板２０の内面には、図２及び図４に示すように、複数の凹部７０が形成されている。各凹部７０は、平板２０の内面のほぼ全面に亘って繰り返して整列に配置されている。また、平板２０の内面には、各凹部７０の周囲を区画する凸部８０が形成されている。かかる凸部８０は、各凹部７０の周囲を全周に亘って取り囲むリブ状の形態とされている。
【００１７】
そして、各凹部７０は、所定形状となる円形、詳細には真円形の完全形凹部７１と、所定形状ではない、つまり完全形凹部７１とは異形の形状であって完全形凹部７１の一部を欠落してなる不完全形凹部７２とからなる。完全形凹部７１は、平板２０の内側において、前後方向に沿って複数並んで配置され、幅方向では千鳥にシフトして配置されている。
【００１８】
不完全形凹部７２は、円弧形の円弧部７３と、円弧部７３の両端を直線状に結んでなる弦状部７４とからなる。そして、不完全形凹部７２は、平板２０の外縁に沿って複数並んで配置されている。各不完全形凹部７２は、母体となる各完全形凹部７１に対する欠落量の違いに応じ、四半円弧状又は半円弧状等の複数種で構成されている。なお、不完全形凹部７２は、装着部３７、６５の周縁にも形成されている。
【００１９】
また、凸部８０のうち、前後方向及び幅方向で向き合う３つの凹部７０間に位置する部分は厚肉の厚肉部８１とされ、前後方向で並び合う２つの凹部７０間に位置する部分は薄肉の薄肉部８２とされている。そして、凸部８０は、平板２０の内側において完全形凹部７１及び不完全形凹部７２の円弧部７３を区画する内側凸部８３と、平板２０の外縁において不完全形凹部７２の弦状部７４（欠落部分）を区画する端縁凸部８４とを有している。端縁凸部８４は、平板２０の外縁（開口部３６Ａ、３６Ｂ、３６Ｃと対応する部分）に沿って直線状に延びる形態とされている。なお、不完全形凹部７２は端縁凸部８４以外に端縁リブ６９及び側板３２によっても区画されている。
【００２０】
図３に示すように、各凹部７０の底面は、ほぼ平坦なフラット面とされている。そして、各凹部７０に対応する底板３１の厚みは、側板３２の厚みよりも薄くされ、凸部８０と対応する底板３１の厚みは、側板３２の厚みよりも厚くされている。本実施形態の場合、各凹部７０と対応する底板３１の厚みは、凸部８０の突出量の概ね半分とされている。
【００２１】
本実施形態によれば、各凹部７０によって平板２０の重量が減少するため、平板２０の軽量化が実現される。また、凸部８０によって平板２０の剛性が確保される。この場合に、端縁凸部８４が平板２０の外縁に沿って配置されているため、平板２０の外縁における剛性が高められる。そして、不完全形凹部７２が平板２０の外縁側に配置されて端縁凸部８４で区画されているため、平板２０の外縁側の内面が充分に肉抜きされ、平板２０の重量が軽減される。したがって、本実施形態によれば、軽量化が実現され、かつ所定の剛性が確保されたプロテクタ１０が提供される。
【００２２】
＜実施形態２＞
図５は、本発明の実施形態２を示す。実施形態２では、各凹部７０Ａ及び凸部８０Ａの形態が実施形態１とは異なっている。
【００２３】
各凹部７０Ａは、所定形状となる六角形、詳細には正六角形の完全形凹部７１Ａと、完全形凹部７１Ａとは異形の形状であって完全形凹部７１Ａの一部を欠落してなる多角形の不完全形凹部７２Ａとからなる。完全形凹部７１Ａは平板２０Ａの内側に複数配置され、不完全形凹部７２Ａは平板２０Ａの外縁に沿って複数配置されている。各不完全形凹部７２Ａは、母体となる各完全形凹部７１Ａに対する欠落量の違いに応じ、三角形（例えば二等辺三角形）、台形（例えば等脚台形）等の複数種で構成されている。そして、各凹部７０Ａは、平板２０Ａの内面の全面に亘って繰り返して整列に形成され、凸部８０Ａとともに全体としてハニカム構造をとっている。
【００２４】
凸部８０Ａは、全体にほぼ同じ厚みを有するリブ状の形態とされ、平板２０Ａの内側において完全形凹部７１Ａ及び不完全形凹部７２Ａの一部を区画するハニカム状の内側凸部８３Ａと、平板２０Ａの外縁を全周に亘って取り囲むことで不完全形凹部７２Ａの欠落部分を区画する枠状の端縁凸部８４Ａとを有している。実施形態２によれば、平板２０Ａの内面全体に凹部７０Ａ及び凸部８０Ａからなるハニカム構造が形成されているため、平板２０Ａの剛性が高められる。その他、実施形態２によれば、実施形態１と同様の効果を享受し得る。
【００２５】
＜参考例＞
図６は、参考例を示す。参考例では、平板２０Ｂの内面に、複数の凹部７０Ｂ及び凸部８０Ｂが整列して形成されている。各凹部７０Ｂは、いずれも同形であって全体として三角形、詳細には二等辺三角形をなしている。ここでは、４つの凹部７０Ｂが互いの頂点を向き合わせて同心状に配置されている。
【００２６】
凸部８０Ｂは、平板２０Ｂの内面において各凹部７０Ｂを全周に亘って区画するリブ状の形態とされている。具体的には、凸部８０Ｂは、各凹部７０Ｂの斜辺を区画するＸ字状の筋交部８８と、各凹部７０Ｂの底辺を区画する方形状の枠部８９とからなるユニットが、前後方向及び幅方向に複数整列してなるものである。この参考例によっても、各凹部７０Ｂによって平板２０Ｂの軽量化を図れるとともに、凸部８０Ｂによって平板２０Ｂの剛性を確保することが可能となる。
【００２７】
＜他の実施形態＞
本発明は上記記述及び図面によって説明した実施形態に限定されるものではなく、例えば次のような実施形態も本発明の技術的範囲に含まれる。
（１）各凹部及び凸部が、平板の表裏両面のいずれか一面のみに形成されるものであってもよい。
（２）各凹部及び凸部が、本体部と蓋部のいずれか一方のみに形成されるものであってもよい。
（３）各凹部及び凸部が、蓋部と本体部とで異なる形状をなすものであってもよい。
（４）完全形凹部が、六角形以外の多角形であってもよい。
（５）プロテクタの形状、種類は任意であり、例えば、蓋部がヒンジを介して本体部に一体に連結されていてもよく、また、複数の蓋部が一つの本体部に取り付けられていてもよい。
【符号の説明】
【００２８】
１０…ワイヤハーネス用プロテクタ
２０、２０Ａ…平板
３０…本体部
６０…蓋部
７０、７０Ａ…凹部
７１、７１Ａ…完全形凹部
７２、７２Ｂ…不完全形凹部
８０、８０Ａ…凸部
８４、８４Ａ…端縁凸部
９０…ワイヤハーネス
【図１】
2012228057.tif 000003
【図２】
2012228057.tif 000004
【図３】
2012228057.tif 000005
【図４】
2012228057.tif 000006
【図５】
2012228057.tif 000007
【図６】
2012228057.tif 000008